(57)【要約】【課題】庫内温度検出センサが断線、短絡等により故障したとき冷凍機を連続的に運転することなく庫内温度を所定の設定温度に維持し得る庫内温度制御装置を提供する。【解決手段】冷却又は冷凍貯蔵品を収納する貯蔵室内の温度を検出する庫内温度検出センサと冷却器に取付けた霜取り終了検出センサを備えた冷却貯蔵庫において、庫内温度検出センサの正常時には貯蔵室内の温度が所定の設定温度に維持されるように庫内温度検出センサの検出温度に応じて冷却貯蔵庫に設けた冷凍機の運転を制御し、庫内温度検出センサの故障時には霜取り終了検出センサの検出温度に応じて冷却器の温度が貯蔵室内の設定温度より所定温度低い温度に維持されるように冷凍機の運転を制御する制御手段を設けたことを特徴とする冷却貯蔵庫の庫内温度制御装置。【選択図】　図３
2004053162.tif 000002
【特許請求の範囲】
【請求項１】
冷却又は冷凍貯蔵品を収納する貯蔵室内の温度を検出する庫内温度検出センサと冷却器に取付けた霜取り終了検出センサを備えた冷却貯蔵庫において、
前記庫内温度検出センサの正常時には前記貯蔵室内の温度が所定の設定温度に維持されるように前記庫内温度検出センサの検出温度に応じて当該冷却貯蔵庫に設けた冷凍機の運転を制御し、前記庫内温度検出センサの故障時には前記霜取り終了検出センサの検出温度に応じて前記冷却器の温度が前記貯蔵室内の設定温度より所定温度低い温度に維持されるように前記冷凍機の運転を制御する制御手段を設けたことを特徴とする冷却貯蔵庫の庫内温度制御装置。
【請求項２】
冷却又は冷凍貯蔵品を収納する貯蔵室内の温度を検出する庫内温度検出用サーミスタと冷却器に取付けた霜取り終了検出用サーミスタを備えた冷却貯蔵庫において、
前記庫内温度検出用サーミスタの正常時には前記貯蔵室内の温度が所定の設定温度に維持されるように前記庫内温度検出用サーミスタの検出温度に応じて当該冷却貯蔵庫に設けた冷凍機の運転を制御し、前記庫内温度検出用サーミスタが断線、短絡等により故障したときには前記霜取り終了検出用サーミスタの検出温度に応じて前記冷却器の温度が前記貯蔵室内の設定温度より所定温度低い温度に維持されるように前記冷凍機の運転を制御する制御手段を設けたことを特徴とする冷却貯蔵庫の庫内温度制御装置。
【請求項３】
冷却又は冷凍貯蔵品を収納する貯蔵室内の温度を検出する庫内温度検出センサと冷却器に取付けた霜取り終了検出センサを備えて、前記庫内温度検出センサの正常時には前記貯蔵室内の温度が所定の設定温度に維持されるように前記庫内温度検出センサの検出温度に応じて当該冷却貯蔵庫に設けた冷凍機の運転を制御するようにした冷却貯蔵庫において、
前記庫内温度検出センサの故障時には前記霜取り終了検出センサの検出温度に応じて前記冷却器の温度が前記貯蔵室内の設定温度より約５℃〜１０℃低い温度に維持されるように前記冷凍機の運転を制御する制御手段を設けたことを特徴とする冷却貯蔵庫の庫内温度制御装置。
【発明の詳細な説明】
【０００１】
【発明の属する技術分野】
本発明は冷却貯蔵庫の庫内温度制御装置、特に冷却又は冷凍貯蔵品を収納する貯蔵室内の温度を検出する庫内温度検出センサと冷却器に取付けた霜取り終了検出センサを備えて、前記庫内温度検出センサの正常時には前記貯蔵室内の温度が所定の設定温度に維持されるように前記庫内温度検出センサの検出温度に応じて冷凍機の運転を制御するようにした冷却貯蔵庫に関するものである。
【０００２】
【従来の技術】
従来、上記のように構成した冷却貯蔵庫においては、庫内温度検出センサが断線又は短絡して故障したとき、当該冷却貯蔵庫に設けた表示機器に温度制御の異常を知らせるためのエラーコードを表示したり、その故障を警報ブザーによって使用者に知らせるようになっている。また、上記の異常時には冷凍機を連続的に運転して貯蔵室内の冷却又は冷凍貯蔵品を温度上昇による腐敗及び解凍から保護するようにしている。
【０００３】
【本発明の解決課題】
然しながら、上記の冷却貯蔵庫においては冷凍機が連続的に運転されると庫内温度が低下して冷却貯蔵品が凍結する不具合が発生する。また、一般的に冷凍機の作動に同期して庫内に設けた強制循環送風機が作動するため、庫内温度が低下すると共に庫内空気の強制循環により凍結水分の昇華が促進されて冷凍貯蔵品が乾燥してしまう不具合が発生する。さらに、冷凍機が連続的に運転されることにより一時的にせよ運転コストが増加する。また、冷凍機の連続運転は、その負荷に起因して冷凍機の寿命を縮めたり、冷凍機の付属部品の故障をもたらすことになる。
【０００４】
【本発明の目的】
本発明の目的は、上記の問題を解消するため、庫内温度検出センサが断線、短絡等により故障したとき冷凍機を連続的に運転することなく庫内温度を所定の設定温度に維持し得る庫内温度制御装置を提供することにある。
【０００５】
【課題を解決するための手段】
上記の目的を達成するため、本発明は、冷却又は冷凍貯蔵品を収納する貯蔵室内の温度を検出する庫内温度検出センサと冷却器に取付けた霜取り終了検出センサを備えた冷却貯蔵庫において、前記庫内温度検出センサの正常時には前記貯蔵室内の温度が所定の設定温度に維持されるように前記庫内温度検出センサの検出温度に応じて当該冷却貯蔵庫に設けた冷凍機の運転を制御し、前記庫内温度検出センサの故障時には前記霜取り終了検出センサの検出温度に応じて前記冷却器の温度が前記貯蔵室内の設定温度より所定温度低い温度に維持されるように前記冷凍機の運転を制御する制御手段を設けたことを特徴とする冷却貯蔵庫の庫内温度制御装置を提供しようとするものである。
【０００６】
【本発明の作用・効果】
上述した冷却貯蔵庫の庫内温度制御装置においては、庫内温度検出センサが故障しても霜取り終了検出センサの検出温度に基づいて冷却又は冷凍貯蔵品の貯蔵室内の温度を近似的に所定の設定温度に制御し得るため、貯蔵室内の温度を庫内温度検出センサが正常なときと同様に維持できる。このため、冷凍機の連続的な運転を回避して冷却貯蔵品の腐敗及び凍結を防ぐことができ、また冷凍貯蔵品の水分昇華による乾燥を防ぐことができる。
【０００７】
【本発明の実施形態】
以下に本発明の一実施形態を図面を参照して説明する。図１に示したように、本発明の庫内温度制御装置が適用される冷却貯蔵庫は、その内部が隔壁板１１によって冷却室１２ａと冷却貯蔵品の貯蔵室１２ｂに区画形成された貯蔵庫１０を有している。隔壁板１０の上面に設けたエバポレータからなる冷却器１３は、圧縮機１４から凝縮器１５、ドライヤ１６及び絞り部１７を介して供給される圧縮冷媒を蒸発させて冷却室１２ａの内部を冷却し、蒸発した冷媒を圧縮機１４に還流させる。貯蔵庫１０の冷却室１２ａ内にて隔壁板１１上に取付けた電動送風機１８は、その作動時に貯蔵室１２ｂからの空気を冷却室１２ａ内に導入し冷却器１３によって冷却された空気を冷却室１２ａから貯蔵室１２ｂの内部に循環させる。なお、凝縮器１５にはその発熱を冷却する電動送風機１９が設けられている。
【０００８】
上記の圧縮機１４及び電動送風機１８，１９の電気的制御装置２０Ａは、貯蔵庫の上に設けた制御ボックス２０内に収納されている。図２に示したように、この電気的制御装置２０Ａは、マイクロコンピュータ２１と駆動回路２２により構成されている。マイクロコンピュータ２１は庫内温度検出用サーミスタ２３又は霜取り終了検出用サーミスタ２４の検出信号を付与されて図３の流れ図によって示した制御プログラムを実行して圧縮機１４及び電動送風機１８，１９の作動を制御する。
【０００９】
図１に示したように、庫内温度検出用サーミスタ２３は冷却室１２ａ内に配置されていて、冷却室１２ａと貯蔵室１２内の温度を検出して貯蔵室１２ｂの内部温度を表す電気信号を発生する。この庫内温度検出用サーミスタ２３は、貯蔵室１２ｂの内部温度が所定の設定温度以上に上昇するとその電気抵抗が下限値に減少し、同貯蔵室１２ｂの内部温度が設定温度以下に低下するとその電気抵抗が上限値に増大するように設定されている。霜取り終了検出用サーミスタ２４は冷却器１３の上に配置されていて、霜取り作動時に冷却器１３の温度が貯蔵室１２ｂの上記設定温度より５℃〜１０℃低い温度になるとその電気抵抗が上限値に増大して貯蔵室内の霜取り終了を表す信号を発生するように設定されている。
【００１０】
上記の冷却貯蔵庫において、その電源スイッチ（図示せず）が閉じられると、コンピュータ２１が図３に示した制御プログラムの実行を開始する。この制御プログラムの実行中に貯蔵室１２ｂの内部温度が上記の設定温度以上に上昇すると、コンピュータ２１がステップＳ１にて庫内温度検出用サーミスタ２３から付与される検出信号に応答して圧縮機１４と電動送風機１８、１９を起動させこれら機器の作動を維持する。これにより、冷却器１３によって冷却室１２ａの内部が冷却され、電動送風機１８の作動によって冷却された空気が冷却室１２ａから貯蔵室１２ｂ内に還流されて、貯蔵室１２ｂの内部温度が均一に低下する。貯蔵室１２ｂの内部温度が低下して庫内温度検出用サーミスタ２３の電気抵抗が上限値に達すると、コンピュータ２１がステップＳ２にて庫内温度検出用サーミスタ２３が正常か否かを判定して、正常であれば同庫内温度検出用サーミスタ２３の検出信号に応答して圧縮機１４及び電動送風機１８，１９の作動を停止させ、その後は引続きステップＳ１の処理を実行して庫内温度検出用サーミスタ２３の検出温度に応じて圧縮機１４と電動送風機１８，１９の作動を制御する。かくして、冷却貯蔵庫の通常運転がコンピュータ２１の制御下にて続行され、貯蔵室１２ｂの内部温度が所定の設定温度に維持される。
【００１１】
ところで、上述した冷却貯蔵庫の通常運転中に庫内温度検出用サーミスタ２３が断線又は短絡により故障したときには、コンピュータ２３はステップＳ２にてＹｅｓと判定して制御プログラムをステップＳ３に進め、同ステップＳ３にて庫内温度検出用サーミスタ２３の故障を使用者に知らせるための異常信号を当該冷却貯蔵庫に設けた表示装置と警報装置に付与し、次のステップＳ４にて霜取り終了検出用サーミスタ２４が正常か否か判定する。正常であれば、コンピュータ２１はステップＳ４にてＮｏと判定してステップＳ５にて霜取り終了検出用サーミスタ２４の検出信号により冷却器１３の温度を検知し、ステップＳ６にて冷却器１３の温度が正常運転時における貯蔵室１２ｂ内の設定温度より約５℃〜１０℃以下の温度に維持されるように圧縮機１４及び電動送風機１８，１９の作動を制御する。これにより、貯蔵室１２ｂの内部温度が必然的に所定の設定温度に近似的に維持される。
【００１２】
なお、コンピュータ２１はステップＳ４にてＹｅｓと判定したときステップＳ７にて圧縮機１４及び電動送風機１８，１９の作動を続行させ、その後のステップＳ３における処理により庫内温度検出用サーミスタ２３の故障を表す異常信号を上記の表示装置と警報装置に付与して、使用者に注意を促す。
【００１３】
上記事項から理解されるとおり、この実施形態においては、冷却貯蔵庫の電気的制御装置を構成するコンピュータ２１によって実行される制御プログラムに、庫内温度検出用サーミスタ２３の正常時には貯蔵室１２ｂ内の温度が所定の設定温度に維持されるように庫内温度検出用サーミスタ２３の検出温度に応じて冷却器１３、圧縮機１４及び電動送風機１８，１９により構成した冷凍機の運転を制御するステップＳ１、Ｓ２を設け、庫内温度検出用サーミスタ２３が断線、短絡等により故障したときには霜取り終了検出用サーミスタ２４の検出温度に応じて冷却器１３の温度が貯蔵室１２ｂ内の設定温度より所定温度（約５℃〜１０℃）低い温度に維持されるように前記冷凍機の運転を制御するステップＳ３〜Ｓ６を設けたことに特徴がある。かかる制御ステップを実行する手段を設けたことにより、庫内温度検出用サーミスタ２３が故障しても霜取り終了検出用サーミスタ２４の検出温度に基づいて冷却貯蔵品の貯蔵室内の温度を近似的に所定の設定温度に制御し得るため、貯蔵室内の温度を庫内温度検出用サーミスタ２３が正常であるときと同様に維持でき冷却貯蔵品の腐敗及び凍結を防ぐことができる。
【００１４】
上記の実施形態においては、冷却貯蔵品の貯蔵室を設けた冷却貯蔵庫に本発明による庫内温度制御装置を適用した例について説明したが、図１に示した貯蔵室１２ｂを冷凍貯蔵品を収納する冷凍室とした冷凍貯蔵庫に本発明による庫内温度制御装置を採用できることは明らかである。
【図面の簡単な説明】
【図１】本発明の庫内温度制御装置が適用される冷却貯蔵庫の概略的な構成図である。
【図２】図１に示した冷却貯蔵庫の電気的制御装置の回路図である。
【図３】図２に示したマイクロコンピュータによって実行される制御プログラムの流れ図である。
【符号の説明】
１０…冷却貯蔵庫、１２ａ…冷却室、１２ｂ…冷却貯蔵品の貯蔵室、１３…冷却器、１４…圧縮機、１５…凝縮器、１６…ドライヤ、１８…電動送風機、２０Ａ…電気的制御装置、２１…マイクロコンピュータ、２３…庫内温度検出用サーミスタ、２４…霜取り終了検出用サーミスタ
【図１】
2004053162.tif 000003
【図２】
2004053162.tif 000004
【図３】
2004053162.tif 000005